(57)【特許請求の範囲】
【請求項１】
培土を主成分とする塊状体の表面を生分解性樹脂若しくはパルプモールドで被覆して形成された複数の緑化材と、コンクリート、モルタル若しくは硬化性樹脂と、を含む緑化構造体であって、外部からの加圧力により前記緑化材が変形して隣接する前記緑化材同士の接触領域が互いに面接触した状態となり、前記緑化材の少なくとも一部が当該緑化構造体の表面に露出していることを特徴とする緑化構造体。
【請求項２】
培土を主成分とする塊状体、二次元格子体若しくは三次元格子体の表面を生分解性樹脂若しくはパルプモールドで被覆して緑化材を形成する工程と、複数の前記緑化材を型枠内に収容する工程と、前記型枠内に収容された前記緑化材に圧力を加える工程と、前記型枠内にコンクリート、モルタル若しくは硬化性樹脂を充填する工程と、前記コンクリート、モルタル若しくは硬化性樹脂を固化させる工程と、を備えたことを特徴とする緑化構造体製造方法。
【請求項３】
前記緑化材が加圧により変形可能である請求項２記載の緑化構造体製造方法。
【発明の詳細な説明】
【技術分野】
【０００１】
本発明は、護岸工事、道路工事などの各種土木建設工事において緑化用資材として使用される緑化材、緑化構造体及び緑化構造体製造方法に関する。
【背景技術】
【０００２】
護岸工事、道路工事などの各種土木建設工事において緑化用資材として使用される資材については、従来、様々なものが提案されているが、本発明に関連する緑化用資材として「植物種子含有体」及び「緑化用マトリックス体」が提案されている（例えば、特許文献１参照。）。特許文献１記載の「植物種子含有体」は、培養土と植物種子との混合物を、生分解性樹脂を用いて固形化したものであり、同じく「緑化用マトリックス体」は連続相を形成するポーラスコンクリートなどの母材中に前記「植物種子含有体」を分散相として分散させたものである。
【０００３】
一方、本発明の技術分野と異なる農業分野において、分解性樹脂を含む液剤を畝面に撒布して固化させることにより、農業用マルチフィルムの代替品として、該分解性樹脂の皮膜である農業用皮膜を形成する技術が提案されている（例えば、特許文献２参照。）。
【先行技術文献】
【特許文献】
【０００４】
【特許文献１】特開２００３−２９３３７３号公報
【特許文献２】特開平１１−２９９３６９号公報
【発明の概要】
【発明が解決しようとする課題】
【０００５】
特許文献１記載の緑化用マトリックス体においては、植物種子含有体の周囲がポーラスコンクリートや硬化性樹脂などの連続相で包囲されるため、植物種子含有体に内在する種子の発芽自体が困難となることがある。また、発芽後の植物の根が生育できる領域は、各々の植物種子含有体の範囲内と、生分解性樹脂の分解によって植物種子含有体と連続相との間に形成される間隙部と、に限られるため、根の張る領域が限定され、植物の生育が良好でないことがある。
【０００６】
特許文献２記載の農業用皮膜は農業用マルチフィルムの代替品としては優れているが、護岸工事や擁壁などを構築する際の緑化用資材として使用することは困難である。
【０００７】
本発明が解決しようとする課題は、施工後の植物の生育が良好であって、培土の流失が極めて少ない、緑化用資材を提供することにある。
【課題を解決するための手段】
【０００８】
本発明の緑化構造体を形成する緑化材は、培土を主成分とする塊状体の表面を生分解性樹脂若しくはパルプモールドで被覆して形成され、加圧により変形可能であることを特徴とする。
【０００９】
複数の前記緑化材を緑化対象領域に互いに密着状態で配置し、これらの緑化材を加圧変形させた状態で、且つ、緑化材の一部を緑化対象領域の表面に露出させた状態にした後、これらの緑化材の隙間にコンクリートやモルタルなどの固化材を充填して固化させれば、緑化材中の培土と、コンクリートやモルタルなどの固化材と、は生分解性樹脂やパルプモールドによって互いに干渉しないように区画される一方、時間経過に伴い、緑化材の表面を被覆する生分解性樹脂やパルプモールドが徐々に分解することにより、緑化対象領域の表面に緑化材中の培土が露出し、緑化対象領域の内部には、隣接する緑化材中の培土同士が全て連続した状態となった培土集合体が形成される。
【００１０】
従って、緑化対象領域の表面に露出する培土に着地して発芽した植物は、緑化対象領域内に形成された培土集合体中に向かって広く根を張ることが可能となり、施工後の植物の生育が良好となる。また、施工直後の緑化材の表面は生分解性樹脂やパルプモールドで被覆された状態にあるため、雨水や流水などによって緑化材中の培土が容易に流失することがなく、生分解性樹脂やパルプモールドが分解した後の緑化材中の培土は、その周囲を固めているコンクリートやモルタルなどの固化材によって保持されるので、施工後の培土の流失も極めて少ない。
【００１１】
また、前記緑化材は、培土を主成分とする二次元格子体若しくは三次元格子体の表面を生分解性樹脂若しくはパルプモールドで被覆して形成したものであっても良い。ここで、二次元格子体とは、所定の厚みを有する格子体であって、その厚みよりも大きな寸法で平面状若しくは曲面状に広がった形状を備えた格子体をいい、三次元格子体とは、縦、横及び高さ方向に立体的に広がった形状を備えた格子体をいう。
【００１２】
単数の前記緑化材を、その一部を緑化対象領域の表面に露出させた状態で当該緑化対象領域に配置した後、緑化材である格子体の隙間にコンクリートやモルタルなどの固化材を充填して固化させれば、緑化材中の培土と、コンクリートやモルタルなどの固化材と、は生分解性樹脂やパルプモールドによって互いに干渉しないように区画される一方、時間経過に伴い、緑化材の表面を被覆する生分解性樹脂やパルプモールドが徐々に分解することにより、緑化対象領域の表面に緑化材中の培土が露出し、緑化対象領域の内部には、二次元格子体若しくは三次元格子体の形状をした培土集合体が形成される。
【００１３】
一方、複数の前記緑化材を、緑化対象領域に互いに密着させ、且つ、緑化材の一部を緑化対象領域の表面に露出させた状態で配置した後、これら緑化材の隙間にコンクリートやモルタルなどの固化材を充填して固めれば、緑化対象領域の内部には、単数の緑化材の場合より広い、二次元格子体若しくは三次元格子体の形状をした培土集合体が形成される。
【００１４】
これにより、緑化材中の培土と、コンクリートやモルタルなどの固化材と、は生分解性樹脂やパルプモールドによって互いに干渉しないように区画される一方、前述と同様、緑化対象領域の表面に露出する培土に着地して発芽した植物は、緑化対象領域内に形成された培土集合体中に向かって広く根を張ることが可能となるため、施工後の植物の生育が良好となる。また、施工直後の緑化材の表面は生分解性樹脂やパルプモールドで被覆された状態にあるため、雨水や流水などによって緑化材中の培土が容易に流失することがなく、生分解性樹脂やパルプモールドが分解した後の緑化材中の培土は、その周囲を固めているコンクリートやモルタルなどの固化材によって保持されるので、施工後の培土の流失も極めて少ない。
【００１５】
次に、本発明の緑化構造体は、培土を主成分とする塊状体の表面を生分解性樹脂若しくはパルプモールドで被覆して形成された複数の緑化材と、コンクリート、モルタル若しくは硬化性樹脂と、を含む緑化構造体であって、外部からの加圧力により前記緑化材が変形して隣接する前記緑化材同士の接触領域が互いに面接触した状態となり、前記緑化材の少なくとも一部が当該緑化構造体の表面に露出していることを特徴とする。ここで、硬化性樹脂とは、型枠内へ充填するときは流動性を有し、充填完了後は、溶媒成分の蒸発、含有成分同士の反応、電磁波や光の照射などによって固化する性質を有する天然樹脂若しくは合成樹脂をいう。
【００１６】
このような構成とすれば、緑化材中の培地と、コンクリートやモルタルなどと、は生分解性樹脂やパルプモールドによって互いに干渉しないように区画される一方、時間経過に伴い、緑化構造体に含まれる緑化材の表面を被覆する生分解性樹脂やパルプモールドが徐々に分解することにより、緑化構造体の表面に緑化材中の培土が露出した状態となるとともに、緑化構造体の内部には、隣接する緑化材中の培土同士が全て連続した状態となった培土集合体が形成される。従って、緑化構造体の表面に露出する培土に着地して発芽した植物は、緑化構造体内部に形成された培土集合体中に向かって広く根を張ることが可能となり、施工後の植物の生育が良好となる。また、コンクリートブロックを用いた従来の緑化工事において必要であったコンクリートブロック施工時の培土の配設が不要となるので、工事の大幅な省力化を図ることができる。
【００１７】
さらに、当該緑化構造体を施工した直後の緑化材の表面は生分解性樹脂やパルプモールドで被覆された状態にあるため、雨水や流水などによって緑化材中の培土が容易に流失することがなく、生分解性樹脂やパルプモールドが分解した後の緑化材中の培土は、その周囲を固めているコンクリート、モルタル若しくは硬化性樹脂によって移動不能に保持されるので、施工後の培土の流失も極めて少ない。
【００１８】
次に、他の緑化構造体として、培土を主成分とする二次元格子体若しくは三次元格子体の表面を生分解性樹脂若しくはパルプモールドで被覆して形成された単数または複数の緑化材と、コンクリート、モルタル若しくは硬化性樹脂と、を含み、前記緑化材の少なくとも一部が当該緑化構造体の表面に露出している構成とすることもできる。
【００１９】
このような構成とすれば、緑化材中の培土と、コンクリート、モルタル若しくは硬化性樹脂と、は生分解性樹脂やパルプモールドによって互いに干渉しないように区画される一方、時間経過に伴い、緑化構造体に含まれる緑化材の表面を被覆する生分解性樹脂やパルプモールドが徐々に分解することにより、緑化構造体の表面に培土が露出した状態となるとともに、緑化構造体の内部には、二次元格子体状若しくは三次元格子体状に広がった培土集合体が形成される。従って、緑化構造体の表面に露出する培土に着地して発芽した植物は、緑化構造体内部の培土集合体中に向かって広く根を張ることが可能となり、施工後の植物の生育が良好となる。また、コンクリートブロックを用いた従来の緑化工事において必要であったコンクリートブロック施工時の培土の配設が不要となるので、工事の大幅な省力化を図ることができる。
【００２０】
また、緑化構造体内部に二次元格子体状若しくは三次元格子体状の培土集合体が形成されることにより、緑化構造体の表面に露出する培土の形状が規則化されるので、外観性や意匠性が向上する。また、二次元格子体状若しくは三次元格子体状をした緑化材における、格子形状、格子サイズ、格子の配列状態などを変えることにより、緑化構造体内における培土集合体の形状、サイズ、配列状態などを変えることができるので、施工現場の状況や施工条件に適した緑化構造体を形成することができる。
【００２１】
また、当該緑化構造体を施工した直後の緑化材の表面は生分解性樹脂やパルプモールドで被覆された状態にあるため、雨水や流水などによって緑化材中の培土が容易に流失することがなく、生分解性樹脂やパルプモールドが分解した後の緑化材中の培土は、その周囲を固めているコンクリート、モルタル若しくは硬化性樹脂によって保持されているので、施工後の培土の流失も極めて少ない。
【００２２】
次に、本発明の緑化構造体製造方法は、培土を主成分とする塊状体、二次元格子体若しくは三次元格子体の表面を生分解性樹脂若しくはパルプモールドで被覆して緑化材を形成する工程と、単数または複数の前記緑化材を型枠内に収容する工程と、前記型枠内に収容された前記緑化材に圧力を加える工程と、前記型枠内にコンクリート、モルタル若しくは硬化性樹脂を充填する工程と、前記コンクリート、モルタル若しくは硬化性樹脂を固化させる工程と、を備えたことを特徴とする。
【００２３】
このような構成とすれば、緑化材の少なくとも一部が表面に露出し、塊状体、二次元格子体若しくは三次元格子体の形状をした培土集合体を内蔵した緑化構造体を形成することができる。従って、緑化材中の培土と、コンクリート、モルタル若しくは硬化性樹脂と、は生分解性樹脂やパルプモールドによって互いに干渉しないように区画される一方、時間経過に伴い、緑化材の表面を被覆する生分解性樹脂やパルプモールドが徐々に分解することにより、緑化構造体の表面に露出する培土に着地して発芽した植物は、緑化構造体内部の培土集合体中に向かって広く根を張ることが可能となるため、施工後の植物の生育が良好となる。
【００２４】
また、製造直後の緑化材の表面は生分解性樹脂やパルプモールドで被覆された状態にあるため、雨水や流水などによって緑化材中の培土が容易に流失することがなく、生分解性樹脂やパルプモールドが分解した後の緑化材中の培土は、その周囲を固めているコンクリート、モルタル若しくは硬化性樹脂によって保持されるので、施工後の培土の流失も極めて少ない。
【００２５】
ここで、本発明の緑化構造体製造方法においては、複数の前記緑化材を型枠内に収容する工程と、前記型枠内にコンクリート、モルタル若しくは硬化性樹脂を充填する工程と、の間に、前記型枠内に収容された前記緑化材に圧力を加える工程を設けている。
【００２６】
このような構成とすれば、コンクリート、モルタル若しくは硬化性樹脂を充填する工程において、型枠内の緑化材の浮き上がりを防止することができるので、緑化材同士の接触状態を維持することができる。
【００２７】
この場合、前記緑化材が加圧により変形可能であることが望ましい。このような構成とすれば、型枠内に収容された緑化材に圧力を加えることにより、若しくは、緑化材の自重により、型枠内で隣接する緑化材同士の接触状態が「点接触」から「面接触」に変化することが可能となるため、緑化材同士の接触面積が増大し、緑化構造体内部に形成される培土集合体の連続性が良好となり、植物の生育に有効となる。
【００２８】
また、型枠内に収容された緑化材に加えられた圧力や緑化材の自重で緑化材が変形することにより、隣接する緑化材同士の密着性及び緑化材と型枠内面との密着性が高まり、緑化材同士の隙間や緑化材と型枠との間にコンクリート、モルタル若しくは硬化性樹脂が侵入することも無くなるので、緑化構造体内部における培土集合体の連続性及び緑化構造体表面における培土の露出性が良好となり、植物の生育性向上に有効である。
【発明の効果】
【００２９】
本発明により、施工後の植物の生育が良好であって、培土の流失が極めて少ない、緑化構造体及び緑化構造体製造方法を提供することができる。
【図面の簡単な説明】
【００３０】
【図１】本発明の第一実施形態である緑化構造体の製造工程を示す概略図である。
【図２】図１に示す緑化構造体の施工例を示す概略図である。
【図３】本発明の第二実施形態である緑化構造体の製造工程を示す概略図である。
【図４】図３に示す緑化構造体を構成する緑化材の斜視図である。
【図５】参考形態である緑化構造体の製造工程を示す概略図である。
【図６】参考形態である緑化構造体の製造工程を示す概略図である。
【図７】参考形態である緑化構造体を構成する緑化材の斜視図である。
【図８】参考形態である緑化構造体を構成する緑化材の斜視図である。
【図９】参考形態である緑化構造体を構成する緑化材の斜視図である。
【図１０】参考形態である緑化構造体を示す斜視図である。
【図１１】図１０に示す緑化構造体の使用状態を一部省略して示す図である。
【図１２】図１１の一部拡大図である。
【発明を実施するための形態】
【００３１】
図１，図２に基づいて第一実施形態について説明する。図１（ａ）に示すように、培土１０を主成分とする球状の塊状体１１を形成した後、図１（ｂ）に示すように、塊状体１１の表面を生分解性樹脂１３で被覆することによって緑化材１２を形成する（図１（ｃ））。培地１０及び生分解性樹脂１３は柔軟性を有するため、緑化材１２は、外部から加圧することにより変形可能である。
【００３２】
このようにして形成した複数の緑化材１２を、図１（ｄ）に示すように、型枠１４内に収容する。このとき、型枠１４内の緑化材１２は互いに点接触した状態にある。次に、図１（ｅ）に示すように、型枠１４の上面開口部１４ａを、重錘を兼ねた蓋１５で閉塞することにより、型枠１４内の緑化材１２に圧力を加える。蓋１５からの加圧力により、型枠１４内の緑化材１２は変形するので、隣接する緑化材１２同士の接触領域は面接触した状態となる。
【００３３】
次に、図１（ｆ）に示すように、型枠１４側面の底面付近に開設された注入口１４ｂからモルタルＭを注入する。型枠１４内に注入されたモルタルＭは複数の緑化材１２同士の隙間に充填されていく。モルタルＭの充填が完了したら、図１（ｇ）に示すように、養生を行う。型枠１４内に充填されたモルタルＭの固化及び養生が完了した後、脱型すると、図１（ｈ）に示すような緑化構造体１６が完成する。
【００３４】
本実施形態では、生分解性樹脂１３は特に限定しないので、時間の経過に伴って分解する性質を有する材料であれば、その他の材料、例えば、パルプモールドなどを使用することもできる。また、図１（ｈ）に示す緑化構造体１６は略直方体形状であるが、これに限定するものではないので、施工条件に適した形状に変更可能である。
【００３５】
次に、図２に基づいて、緑化構造体１６の施工例について説明する。図１に示す製造工程を経て形成された図２（ａ）に示す緑化構造体１６を、図２（ｂ）に示すように、施工現場の法面に全面的に設置する。これらの設置工事は従来工法によって施工することができる。
【００３６】
その後の時間経過に伴い、緑化構造体１６の緑化材１２表面の生分解性樹脂１３（図１（ｂ）参照）が、塊状体１１中のバクテリアなどによって徐々に分解されるので、図２（ｃ）に示すように、緑化構造体１６内部では隣接する塊状体１１を構成する培土１０（図１（ｂ）参照）が連続した状態となる。また、緑化構造体１６表面においても塊状体１１を構成する培土１０（図１（ｂ）参照）が露出した状態となる。このように、生分解性樹脂１３の分解及び緑化構造体１６の表面における培土１０の露出部分の増大とともに、露出した培土１０に種子が着地して、図２（ｄ）に示すように、植物１７が生育するので、当該緑化構造体１６が設置された法面の緑化を図ることができる。
【００３７】
生分解性樹脂１３が分解した後の緑化構造体１６内部では、隣接する塊状体１１を構成する培土１０が互いに連続した培土集合体が形成されるため、植物１７は前記培土集合体中に向かって広く根を張ることが可能となり、施工後の植物１７の生育は良好である。また、図２（ｄ）に示すように、植物１７の根１７Ｒは緑化構造体１６内の前記培土集合体を連続的に貫通して地山に生長していくことができるので、植物１７の生育に有効であるとともに、緑化構造体１６の安定保持に寄与する。
【００３８】
一方、施工直後の緑化材１２の表面は生分解性樹脂１３で被覆された状態にあるため、雨水や流水などによって緑化材１２中の培土１０が容易に流失することがなく、生分解性樹脂１３が分解した後の緑化材１２中の培土１０は、その周囲を固めているモルタルＭによって保持されるので、施工後の培土１０の流失も極めて少ない。なお、図１（ｆ）に示す工程において、モルタルＭの代わりに硬化性樹脂を型枠１４内に充填して、固化させることにより、緑化構造体を形成することもできる。
【００３９】
次に、図３，図４に基づいて、本発明の第二実施形態について説明する。本実施形態においては、図３（ａ）に示すように、球状の緑化材１２と三次元格子体状の緑化材２２とモルタルＭを使用して、図３（ｄ）に示す緑化構造体２６を形成している。緑化材１２は図１（ｂ）に示すものと同一であるが、緑化材２２は図４に示すような形状である。図４に示すように、緑化材２２は、培土１０を主成分とする三次元格子体２１の表面全体を生分解性樹脂１３で被覆して形成されたものであり、その底面部分は平面をなしている。
【００４０】
図３（ａ）に示すように、型枠２４の底部に緑化材２２を配置し、その上方に複数の緑化材１２を収容する。緑化材１２が型枠２４の上面開口部２４ａから若干盛り上がる程度まで収容されたら、図３（ｂ）に示すように、型枠２４の上面開口部２４ａを、重錘を兼ねた蓋２５で閉塞する。これにより、蓋２５の加圧力で型枠２４内の緑化材１２のみが変形して、緑化材１２同士の接触部分及び緑化材１２，２２の接触部分は点接触状態から面接触状態に変化するとともに、緑化材２２と型枠２４との接触部分は緑化材２２が型枠２４の内面に隙間無く密着した状態となる。
【００４１】
次に、図３（ｃ）に示すように、型枠２４に振動を加えながら、型枠２４側面の底部付近に開設された注入口２４からモルタルＭを注入し、緑化材１２，２２の隙間にモルタルＭを充填する。このとき、型枠２４の上面開口部２４ａを閉塞する蓋２５により型枠２４内に加圧力が作用しているので、緑化材１２，２２の浮き上がりが防止され、緑化材１２同士の密着部分、緑化材１２と緑化材２２との密着部分あるいは緑化材２２と型枠２４内面との間にモルタルＭが侵入するのを防止することができる。
【００４２】
この後、モルタルＭの固化及び養生工程を経て、脱型すると、図３（ｄ）に示すような緑化構造体２６が完成する。完成後の緑化構造体２６においては生分解性樹脂１３が徐々に分解していくので、緑化材１２，２２を構成する培地１０が全体的に連続した培地集合体が形成されるとともに、緑化構造体２６表面は培地１０の一部が露出した状態となる。従って、緑化構造体２６表面の培地１０で発芽した植物は前記培土集合体中に向かって広く根を張ることが可能となり、施工後の植物の生育は良好である。
【００４３】
一方、完成直後の緑化構造体２６内の緑化材１２，２２の表面は生分解性樹脂１３で被覆された状態にあるため、雨水や流水などによって緑化材１２，２２中の培土１０が容易に流失することがなく、生分解性樹脂１３が分解した後の緑化材１２，２２中の培土１０は、三次元格子体構造の培土集合体の周囲で固化しているモルタルＭによって保持されるので、施工後の培土１０の流失も極めて少ない。
【００４４】
特に、緑化構造体２６は、球状の緑化材１２と三次元格子体状の緑化材２２とを組み合わせて形成されているので、複数の緑化材１２が隣接することによって非直線的な三次元格子体構造の培地集合体が形成され、また、三次元格子体構造の緑化材２２の周辺部が緑化構造体２６表面に規則的な形状及び間隔で露出する結果、緑化構造体２６表面に露出培土が規則的に配列された状態となるので、外観性や意匠性が向上する。
【００４５】
次に、図５〜図１２に基づいて参考形態について説明する。本参考形態においては、図７，図８，図９に示す三次元格子体状の緑化材３２，３２ａ，３２ｂを使用し、図５，図６に示す工程を経ることにより、図１０に示す緑化構造体３６を形成している。図７に示す緑化材３２は平面視形状が略長方形をなし、図８に示す緑化材３２ａは平面視形状が凸形状をなし、図９に示す緑化材３２ｂは平面視形状が略台形をなしている。緑化材３２，３２ａ，３２ｂはいずれも、培土１０を主成分とする三次元格子体の表面全体を生分解性樹脂１３で被覆して形成されたものであり、それぞれの底面部分は平面をなしている。
【００４６】
図５，図６はいずれも、図１０に示す緑化構造体３６の正面部３６ａが下面に位置するように型枠３４をセットした状態での製造工程を示し、図５は型枠３４の正面方向（図１０の矢線Ｆ方向）から見た垂直断面図であり、図６は型枠３４の側面方向（図１０の矢線Ｓ方向）から見た垂直断面図である。また、図５（ａ）〜（ｄ）の各工程と図６（ａ）〜（ｄ）の各工程とはそれぞれ対応する同じ状態を示している。
【００４７】
図５（ａ），図６（ａ）に示すように、型枠３４内の底部から上面開口部３４ａに至るまでの空洞内に、３種類の緑化材３２，３２ａ，３２ｂ（図７〜図９参照）を積層状態に配置する。この場合、型枠３４の空洞内の水平方向の広さ、形状などに応じて、３種類の緑化材３２，３２ａ，３２ｂを使い分けながら配置する。また、図６（ａ）に示すように、上下方向に隣接する緑化材３２，３２ａ，３２ｂを構成する三次元格子体が、極力、同じ位相とならないように互いにずらして配置することが望ましい。
【００４８】
最上部分の緑化材３２が型枠３４の上面開口部３４ａに達したら、図５（ｂ），図６（ｂ）に示すように、型枠３４の上面開口部３４ａを蓋３５で閉塞する。この場合、蓋３５は、緑化材３２，３２ａ，３２ｂと型枠３４内面との密着性を高める作用と、後述するコンクリート充填工程における緑化材３２，３２ａ，３２ｂの浮き上がり防止作用とを発揮する。
【００４９】
この後、図５（ｃ），図６（ｃ）に示すように、型枠３４に振動を加えながら型枠３４内にコンクリートＣを流し込み、緑化材３２，３２ａ，３２ａの隙間にコンクリートＣを充填する。この後、コンクリートＣの固化及び養生を経て、脱型すると、図５（ｄ），図６（ｄ）及び図１０に示すような緑化構造体３６が完成する。
【００５０】
完成後の緑化構造体３６においては生分解性樹脂１３が徐々に分解していくので、緑化材３２，３２ａ，３２ｂを構成する培地１０が全体的に連続した培地集合体が形成されるとともに、図１０に示すように、緑化構造体３６表面には培地１０の露出部１０ａが現れる。従って、これらの露出部１０ａで発芽した植物は、緑化材３２，３２ａ，３２ｂで形成された前記培土集合体中に向かって広く根を張ることが可能となり、施工後の植物の生育は良好である。
【００５１】
一方、完成直後の緑化構造体３６内の緑化材３２，３２ａ，３２ｂの表面は生分解性樹脂１３で被覆された状態にあるため、雨水や流水などによって緑化材３２，３２ａ，３２ｂ中の培土１０が容易に流失することがない。また、生分解性樹脂１３が分解した後の緑化材３２，３２ａ，３２ｂ中の培土１０は、その周囲で固化しているコンクリートＣによって保持されるので、施工後の培土１０の流失も極めて少ない。
【００５２】
特に、緑化構造体３６は三次元格子体状の緑化材３２，３２ａ，３２ｂを積層して形成された培土集合体を内蔵しているので、培土１０（図７〜図９参照）が流失し難く、図１０に示すように、緑化構造体３６表面には、培土１０の露出部１０ａが規則的に配列された状態で現れるので、外観性、意匠性も優れている。また、図５，図６に示す製造工程において型枠３４内に積層配置する緑化材３２，３２ａ，３２ｂの個数や配置状態を調整することができるため、一般的に使用されている柔練りコンクリートや高流動コンクリートを用いて緑化構造体３６を製造することができる。
【００５３】
さらに、型枠３４内に配置する緑化材３２，３２ａ，３２ｂの個数や配置状態を変更することにより、緑化構造体３６内に形成される前記培土集合体のサイズや形状を変更することもできるので、施工現場の条件に適した緑化構造体３６を形成することができる。
【００５４】
ここで、図１１，図１２に基づいて、図１０に示す緑化構造体３６の使用例について説明する。図１１に示す緑化擁壁４５は、地山４０の法面に打設された裏込材４１及び基礎コンクリート４２と、裏込材４１の表面に沿って配列された複数の緑化構造体３６と、隣り合う緑化構造体３６同士の間に打設された胴込コンクリート４３と、最上部の緑化構造体３６上に打設された天端コンクリート４４と、によって構成されている。複数の緑化構造体３６は、それぞれ正面部３６ａが緑化擁壁４５の表面に位置するように配列されている。
【００５５】
緑化擁壁４５を構成する緑化構造体３６においては、前述したように、生分解性樹脂１３が徐々に分解していくので、緑化材３２，３２ａ，３２ｂを構成する培地１０が全体的に連続した培地集合体が形成されるとともに、緑化構造体３６表面には培地１０の露出部１０ａが現れる。従って、図１２に示すように、緑化擁壁４５の表面を形成する、緑化構造体３６の正面部３６ａの露出部１０ａ（図１０参照）で発芽した植物１７は、緑化材３２，３２ａ，３２ｂで形成された培土集合体中に向かって広く根１７Ｒを張るとともに、緑化構造体３６を貫通して裏込材４１及び地山４０に向かって根１７Ｒを張ることも可能となり、また、裏込材４１及び地山４０から前記培土集合体側への水分や養分の補給も可能となるので、施工後の植物１７の生育は極めて良好となる。
【００５６】
また、緑化擁壁４５において隣接する緑化構造体３６同士の接触部分では、露出部１０ａ同士が密着した状態となるため、この部分でも緑化材３２，３２ａ，３２ｂの培土１０が連続した状態となる結果、緑化擁壁４５全体に連続した培土集合体が形成される。これにより、植物１７は緑化擁壁４５全体に広がるように根１７Ｒを張ることが可能となるだけでなく、緑化擁壁４５全体に渡って水分や養分の拡散、浸透が可能となるため、植物１７の生育は極めて良好となり、緑化擁壁４５の保持にも有効である。
【００５７】
なお、本発明は前述した実施形態及び使用例に限定するものではないので、用途や施工条件などに応じて、培土の種類、緑化材や緑化構造体のサイズ、形状、構造などを変更することができる。また、緑化材の培土中に予め植物種子や肥料成分を含有させておくことにより、施工後の緑化を早めることも可能であり、コンクリートやモルタルの他に硬化性樹脂などの固化材を用いることもできる。
【産業上の利用可能性】
【００５８】
本発明に係る緑化構造体は、護岸工事、道路工事などの各種土木建設工事における緑化用資材として広く使用することができる。
【符号の説明】
【００５９】
１０  培土
１０ａ  露出部
１１  塊状体
１２，２２，３２，３２ａ，３２ｂ  緑化材
１３  生分解性樹脂
１４，２４，３４  型枠
１４ａ，２４ａ，３４ａ  上面開口部
１４ｂ，２４ｂ  注入口
１５，２５，３５  蓋
１６，２６，３６  緑化構造体
１７  植物
１７Ｒ  根
３６ａ  正面部
４０  地山
４１  裏込材
４２  基礎コンクリート
４３  胴込コンクリート
４４  天端コンクリート
４５  緑化擁壁
Ｃ  コンクリート
Ｆ，Ｓ  矢線
Ｍ  モルタル
【図１】
0005523765.tif 000002
【図２】
0005523765.tif 000003
【図３】
0005523765.tif 000004
【図４】
0005523765.tif 000005
【図５】
0005523765.tif 000006
【図６】
0005523765.tif 000007
【図７】
0005523765.tif 000008
【図８】
0005523765.tif 000009
【図９】
0005523765.tif 000010
【図１０】
0005523765.tif 000011
【図１１】
0005523765.tif 000012
【図１２】
0005523765.tif 000013